(57)【要約】  【課題】  店頭等において、顧客が、物品を手に取り易く、かつ当該物品を容易に元の場所に設置できると共に、ディスプレイが乱雑になることを低減する。  【解決手段】    本発明に係る物品設置具は、物品を所定の場所に設置する物品設置具であって、平板の一辺を凸形状に切りかいて形成された凸部を有する第１の部材と、平板の一辺を前記第１の部材の前記凸部に対応する凹形状に切りかいて形成された凹部を有する第２の部材とを具備し、前記第１の部材又は前記第２の部材のいずれか一方は、その主面を前記物品に固定され、前記物品に固定された前記第１の部材又は前記第２の部材とは異なる前記第１の部材又は前記第２の部材は、その主面を前記所定の場所に固定される。  【選択図】  図１
2007252431.tif 000002
【特許請求の範囲】
【請求項１】
物品を所定の場所に設置する物品設置具であって、
平板の一辺を凸形状に切りかいて形成された凸部を有する第１の部材と、
平板の一辺を前記第１の部材の前記凸部に対応する凹形状に切りかいて形成された凹部を有する第２の部材とを具備し、
前記第１の部材又は前記第２の部材のいずれか一方は、その主面を前記物品に固定され、
前記物品に固定された前記第１の部材又は前記第２の部材とは異なる前記第１の部材又は前記第２の部材は、その主面を前記所定の場所に固定されることを特徴とする物品設置具。
【請求項２】
前記第１の部材の主面を平面視した際、前記凸部は、先端を短辺とする台形の凸形状であることを特徴とする請求項１に記載の物品設置具。
【請求項３】
前記第１の部材の前記凸部と、前記第２の部材の前記凹部とを組み合わせた際、
組み合わせられた前記第１の部材と前記第２の部材との幅は、前記物品の幅よりも小さく、
組み合わせられた前記第１の部材と前記第２の部材の高さは、前記物品の高さよりも小さいことを特徴とする請求項１又は２に記載の物品設置具。
【請求項４】
前記凸部における前記凹部に対する接触面と、前記凹部における前記凸部に対する接触面とには、それぞれ対極する磁石が設けられていることを特徴とする請求項１乃至３のいずれか１項に記載の物品設置具。
【発明の詳細な説明】
【技術分野】
【０００１】
本発明は、物品を所定の場所に設置する物品設置具に関する。
【背景技術】
【０００２】
一般的に、店頭等で陳列してある物品、例えば、携帯電話、電子辞書、絵画、書籍等の物品は、顧客によく見えるように、棚等に並べた状態で陳列されることが多い。
【０００３】
また、かかる物品は、顧客が陳列される物品を手にとって眺められるように、手に取りやすい状態で、陳列されていることが望ましい。
【０００４】
そこで、従来では、顧客が、物品を取りやすい状態に陳列することができる物品設置具が提案されている（例えば、特許文献１参照）。
【特許文献１】実用新案登録第３０７２３８１号公報
【発明の開示】
【発明が解決しようとする課題】
【０００５】
一方、店頭等に陳列される物品は、販売を促進するため、顧客の興味を引くように、綺麗にディスプレイされた状態で陳列することが望まれる。
【０００６】
しかしながら、顧客は、陳列されている物品を手に取って眺め、後に当該物品を元の場所へ戻す際、当該物品をディスプレイされていた元の場所に戻すことが面倒であるため、安易に設置する場合がある。かかる場合、設置された物品は、元の状態とは異なる、例えば傾いた状態等で設置されるため、綺麗にディスプレイされていた状態が乱れてしまい、見栄えが悪くなってしまう。
【０００７】
そこで、本発明は以上の点に鑑みてなされたもので、店頭等において、顧客が、物品を手に取り易く、かつ当該物品を容易に元の場所に設置できると共に、ディスプレイが乱雑になることを低減する物品設置具を提供することを目的とする。
【課題を解決するための手段】
【０００８】
本発明の第一の特徴は、物品を所定の場所に設置する物品設置具であって、平板の一辺を凸形状に切りかいて形成された凸部を有する第１の部材と、平板の一辺を前記第１の部材の前記凸部に対応する凹形状に切りかいて形成された凹部を有する第２の部材とを具備し、前記第１の部材又は前記第２の部材のいずれか一方は、その主面を前記物品に固定され、前記物品に固定された前記第１の部材又は前記第２の部材とは異なる前記第１の部材又は前記第２の部材は、その主面を前記所定の場所に固定されることを要旨とするものである。
【０００９】
かかる発明によれば、物品に固定された第１の部材の凸部と、所定の場所に固定された第２の部材の凹部とを組み合わせて、物品が所定の場所に設置される。よって、かかる発明によれば、設置されている物品が容易に手に取れると共に、当該物品を所定の場所に設置する際には、凹部と凸部とが組み合わされるので、物品を元の状態で所定の場所に設置できる。
【００１０】
また、本発明の第一の特徴において、前記第１の部材の主面を平面視した際、前記凸部は、先端を短辺とする台形の凸形状であってもよい。
【００１１】
かかる発明によれば、第１の部材の凸部と、第２の部材の凹部とが、台形状であるので、凸部の先端が凹部の開口に嵌入すれば、凸部と凹部とを容易に組み合わせることができる。よって、かかる発明によれば、物品を所定の場所に設置する際には、当該物品を容易に設置することができる。
【００１２】
また、本発明の第一の特徴において、前記第１の部材の前記凸部と、前記第２の部材の前記凹部とを組み合わせた際、組み合わせられた前記第１の部材と前記第２の部材との幅は、前記物品の幅よりも小さく、組み合わせられた前記第１の部材と前記第２の部材の高さは、前記物品の高さよりも小さくてもよい。
【００１３】
かかる発明によれば、組み合わせられた第１の部材と第２の部材との幅及び高さが、物品の幅及び高さよりも小さい。よって、物品が所定の場所に設置されている際、第１の部材と第２の部材とは、物品の陰になり見えにくくなるので、物品の全体が露出されて、見えやすくなる。
【００１４】
また、本発明の第一の特徴において、前記凸部における前記凹部に対する接触面と、前記凹部における前記凸部に対する接触面とには、それぞれ対極する磁石が設けられていてもよい。
【００１５】
かかる発明によれば、凹部と凸部に対極する磁石が取り付けられているので、凹部と凸部が磁力により引きつけられる。よって、かかる発明によれば、物品は、所定の場所により固定されると共に、凹部と凸部とが引きつけられ、組み合わせ易くなる。
【発明の効果】
【００１６】
本発明の物品設置具によれば、店頭等において、顧客が、物品を手に取り易く、かつ当該物品を容易に元の場所に設置できると共に、ディスプレイが乱雑になることを低減することができる。
【発明を実施するための最良の形態】
【００１７】
（本発明の実施形態に係る物品設置具の構成）
本発明の実施形態における物品設置具の構成について図面を参照しながら説明する。以下の図面の記載において、同一又は類似の部分には同一又は類似の符号を付している。ただし、図面は模式的なものであり、厚みと平面寸法との関係等は現実のものとは異なることに留意すべきである。したがって、具体的な厚みや寸法は以下の説明を参酌して判断すべきものである。また、図面相互間においても互いの寸法の関係や比率が異なる部分が含まれていることは勿論である。また、以下に示す実施形態は、この発明の技術的思想を具体化するための装置や方法を例示するものであって、この発明の技術的思想は、構成部品の材質、形状、構造、配置等を下記のものに特定するものでない。この発明の技術的思想は、特許請求の範囲において、種々の変更を加えることができる。
【００１８】
本実施形態に係る物品設置具は、物品を所定の場所に設置するものである。また、本実施形態では、図１に示すように、当該物品を高さＨ、幅Ｗの携帯電話１００である場合を例に、かかる物品設置具の構成について説明する。
【００１９】
図１に示すように、本実施形態に係る物品設置具は、物品側部材１０と、設置場所側部材２０とを具備する。なお、物品側部材１０と、設置場所側部材２０とは、幅（幅Ｗ１と幅Ｗ２）及び厚みが、同程度で形成されている。また、上述した物品側部材１０及び設置場所側部材２０の材質は、特に限定されるものではなく、プラスチック等の樹脂を使用してもよいし、木材を使用してよいし、金属を使用してもよい。
【００２０】
物品側部材１０は、平板の一辺を凸形状に切りかいて形成された凸部１０ａを有する。また、物品側部材の主面を平面視した際、凸部１０ａは、先端を短辺とする台形の凸形状である。
【００２１】
また、かかる凸部１０ａにおいて、後述する設置場所側部材２０の凹部２０ａに対する接触面には、磁石１０ｃが設けられている。具体的に、図１に示すように、凸部１０ａには、磁石１０ｃが、凸部１０ａの先端面１０ｂに露出して設けられている。なお、本実施形態では、当該磁石１０ｃが、凸部１０ａの先端面１０ｂに露出して設けられている場合を例に説明するが、かかる磁石１０ｃは、後述する設置場所側部材２０との接触面であれば、物品側部材１０のどこに設けていてもよい。
【００２２】
また、物品側部材１０は、その主面を、物品である携帯電話１００に固定されている。具体的に、物品側部材１０は、その主面を、物品である携帯電話１００の表面に、接着剤又は両面テープ等を使用して、脱着可能に固定される。
【００２３】
設置場所側部材２０は、平板の一辺を物品側部材１０の凸部１０ａに対応する凹形状に切りかいて形成された凹部２０ａを有する。また、設置場所側部材２０の主面を平面視した際、当該凹部２０ａは、開口を長辺とする台形の凹形状である。
【００２４】
また、凹部２０ａにおいて、物品側部材１０の凸部１０ａに対する接触面には、磁石２０ｃが設けられている。具体的に、図１に示すように、凹部２０ａには、凸部１０ａに設けられる磁石１０ｃと対極する磁石２０ｃが、凹部２０ａの低面２０ｂに露出するように設けられている。
【００２５】
また、凹部２０ａに設けられる磁石２０ｃと、上述した凸部１０ａに設けられる磁石１０ｃとは、それぞれ対極（例えば、Ｎ極およびＳ極）する磁石であり、凸部１０ａと凹部２０ａとが、磁力により引きつけられる。なお、本実施形態では、当該磁石２０ｃが、凹部２０ａの低面２０ｂに露出するように設けている場合を例に説明するが、かかる磁石２０ｃは、物品側部材１０との接触面であれば、設置場所側部材２０のどこに設けられていてもよい。
【００２６】
また、設置場所側部材２０は、物品支持部２０ｄを有している。具体的に、物品支持部２０ｄは、図１に示すように、物品側部材１０と組み合わせた際、携帯電話１００の下端よりも下に出ない距離で、下方向に延設された平板に、切りかき部２０ｅによって、コノ字状に切りかかれて形成されている。なお、物品支持部２０ｄは、切りかき部２０ｅがなく、単に延設された平板として形成されていてもよい。
【００２７】
また、設置場所側部材２０は、その主面を、物品である携帯電話１００を設置する所定の場所に固定されている。具体的に、設置場所側部材２０は、その主面を、例えば壁２００の表面に、接着剤又は両面テープ等を使用して、脱着可能に固定されている。なお、設置場所側部材２０は、ネジ又は釘等を使用して、設置場所側部材２０と壁２００とを貫通させて、壁２００に固定してもよい。
【００２８】
上述する物品側部材１０及び設置場所側部材２０によって、携帯電話１００は、図１に示すように、当該携帯電話１００に固定された物品側部材１０の凸部１０ａと、所定の場所に固定された設置場所側部材２０の凹部２０ａとを、矢印Ａに示すように嵌合させて組み合わせることで、所定の場所である壁２００に設置される。
【００２９】
また、物品側部材１０の凸部１０ａと、設置場所側部材２０の凹部２０ａとを組み合わせた際、組み合わせられた物品側部材１０と設置場所側部材２０との幅は、携帯電話１００の幅Ｗよりも小さく、又、組み合わせられた物品側部材１０と設置場所側部材２０の高さは、携帯電話１００の高さＨよりも小さい。
【００３０】
具体的に、物品側部材１０の凸部１０ａと、設置場所側部材２０の凹部２０ａとを組み合わせた際、図１に示すように、組み合わせられた物品側部材１０の幅Ｗ１又は設置場所側部材２０の幅Ｗ２は、携帯電話１００の幅Ｗよりも小さい。
【００３１】
また、物品側部材１０の凸部１０ａと、設置場所側部材２０の凹部２０ａとを組み合わせた際、図１に示すように、物品側部材１０の高さＨ１と設置場所側部材２０の高さＨ２は、高さＨ１と高さＨ２とを加算した高さ（Ｈ１＋Ｈ２）である。そして、当該加算した高さ（Ｈ１＋Ｈ２）は、携帯電話１００の高さＨよりも小さい。
【００３２】
また、図２は、図１において、物品側部材１０の凸部１０ａと、設置場所側部材２０の凹部２０ａとを組み合わせて携帯電話１００を設置した際、壁２００と垂直な面で、Ｘ−Ｘ線に沿って切断した場合のＸ−Ｘ断面図である。図２に示すように、物品側部材１０の凸部１０ａと、設置場所側部材２０の凹部２０ａとを組み合わせて携帯電話１００を設置した際、物品支持部２０ｄは、携帯電話１００と接触して支えることで、当該携帯電話１００が、壁２００と平行に設置される。
【００３３】
なお、本実施形態では、組み合わせられた物品側部材１０と設置場所側部材２０との幅及び高さは、携帯電話１００の幅Ｗ及び高さＨよりも小さい場合を例に説明したが、組み合わせられた物品側部材１０と設置場所側部材２０との幅及び高さは、携帯電話１００の幅Ｗ及び高さＨ以上であってもよい。
【００３４】
また、本実施形態では、物品側部材１０に凸部１０ａを有し、設置場所側部材２０に凹部２０ａを有する場合を例に説明したが、物品側部材１０に凹部２０ａを有し、設置場所側部材２０に凸部１０ａを有していてもよい。
【００３５】
（本実施形態に係る物品設置具の作用・効果）
本実施形態に係る物品設置具によれば、物品である携帯電話１００に固定された物品側部材１０の凸部１０ａと、所定の場所である壁２００に固定された設置場所側部材２０の凹部２０ａとを組み合わせることで、携帯電話１００が壁２００に設置される。よって、かかる物品設置具によれば、例えば顧客が、携帯電話１００を壁２００に設置する際に、当該携帯電話１００を、傾き及び場所等を元の状態で設置させることができる。
【００３６】
また、本実施形態に係る物品設置具によれば、凸部１０ａと凹部２０ａとの形状が台形の凸形状である。よって、かかる物品設置具によれば、例えば、携帯電話１００を手に取った顧客が、当該携帯電話１００を設置する際、凸部１０ａの先端が凹部２０ａの開口に嵌入すれば、凸部と凹部とを容易に組み合わせることができるので、携帯電話１００を容易に壁２００に設置することができる。
【００３７】
また、本実施形態に係る物品設置具によれば、組み合わせられた物品側部材１０と設置場所側部材２０との幅（Ｗ１又はＷ２）及び高さ（Ｈ１とＨ２とを加算した高さ）は、携帯電話１００の幅Ｗ及び高さＨよりも小さい。よって、かかる物品設置具によれば、携帯電話１００が所定の場所である壁２００に設置されている際、携帯電話１００の全体が顧客に対して見えやすくなると共に、顧客が、当該携帯電話１００を手に取りやすくなる。
【００３８】
また、本実施形態に係る物品設置具によれば、凸部１０ａと凹部２０ａとに、対極する磁石が取り付けられているので、凸部１０ａと凹部２０ａとが磁力により引きつけられる。よって、かかる物品設置具によれば、携帯電話１００は、所定の場所である壁２００に、より強く固定されると共に、顧客が、携帯電話１００を設置する際には、凸部１０ａと凹部２０ａとを組み合わせ易くなり、携帯電話１００を設置しやすくなる。
【００３９】
よって、本発明の物品設置具によれば、店頭等において、顧客が、物品を手に取り易く、かつ当該物品を容易に元の場所に設置できると共に、ディスプレイが乱雑になることを低減することができる。
【００４０】
（変形例１）
次に、本発明の変形例１に係る物品設置具の構成について、図３乃至４を参照しながら、上述した実施形態に係る物品設置具との相違点に着目して説明する。なお、図４は、図３において、物品側部材１０の凸部１０ａと、設置場所側部材２０の凹部２０ａとを組み合わせて、携帯電話１００を設置した際、壁２００と垂直な面で、Ｙ−Ｙ線に沿って切断した場合のＹ−Ｙ断面図である。
【００４１】
また、本変形例１に係る物品設置具は、図３に示すように、壁２００内に設置される落下防止具３０を更に備えている。また、落下防止具３０は、穴３０ａと、ワイヤ３０ｂと、接続部３０ｃと、リール３０ｄとを備えている。
【００４２】
穴３０ａは、設置場所側部材２０の凹部２０ａの間における壁２００に設けられ、リール３０ｄから伸びるワイヤ３０ｂを通すように形成される。
【００４３】
ワイヤ３０ｂは、その一方の端を、物品側部材１０における凸部１０ａの表面上の接続部３０ｃによって固定する。また、ワイヤ３０ｂは、もう一方の一端をリール３０ｄに固定する。そして、ワイヤ３０ｂは、当該リール３０ｄに所定の長さ（例えば、１ｍ程度）巻かれており、物品側部材１０を手に取った際、巻き出される。
【００４４】
リール３０ｄは、図４のＹ−Ｙ断面図に示すように、内側にスパイラルスプリング３０ｅを有しており、このスパイラルスプリング３０ｅの復元力によって回転することで、巻き出されたワイヤ３０ｂを自動的に巻き込む。
【００４５】
本変形例１に係る物品設置具によれば、落下防止具３０のワイヤ３０ｂによって、携帯電話１００が地面に落下することを防止できると共に、当該携帯電話１００が、盗難されることを防止できる。また、ワイヤ３０ｂによって、凸部１０ａと凹部２０ａとを引きつけるような位置に、穴３０ａ及び接続部３０ｃとを設けることで、例えば顧客が、携帯電話１００を設置する際には、凸部１０ａと凹部２０ａとを組み合わせ易くなり、携帯電話１００を設置しやすくなる。
【００４６】
（変更例２）
次に、本発明の変形例２に係る物品設置具の構成について、図５を参照しながら、上述した実施形態に係る物品設置具との相違点に着目して説明する。本変形例２に係る物品設置具は、図５に示すように、設置場所側部材２０が、壁２００ではなく、スタンド４０に設置される。
【００４７】
変形例２に係る物品設置具によれば、壁２００だけでなく、棚やテーブル等でも、携帯電話１００を設置できる。
【００４８】
（その他の実施形態）
上記のように、本発明は実施形態によって記載したが、この開示の一部をなす論述及び図面はこの発明を限定するものであると理解すべきではない。この開示から当業者には様々な代替実施形態、実施例及び運用技術が明らかとなろう。
【００４９】
既に述べた物品設置具の説明では、物品が、携帯電話である場合を例に説明したが、当該物品は、電子手帳、ＰＤＡ、絵画、書籍等であっても良く、携帯電話に限定されるものではない。
【００５０】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【００５１】
【図１】本実施形態に係る物品設置具を示す概略構成図である。
【図２】本実施形態に係る物品設置具を、図１において、携帯電話１００を設置した際、壁２００と垂直な面で、Ｘ−Ｘ線に沿って切断した場合のＸ−Ｘ断面図である。
【図３】変形例１に係る物品設置具の構成を示す概略構成図である。
【図４】変形例１に係る物品設置具を、図３において、携帯電話１００を設置した際、壁２００と垂直な面で、Ｙ−Ｙ線に沿って切断した場合のＹ−Ｙ断面図である。
【図５】変形例２に係る物品設置具の構成を示す概略構成図である。
【符号の説明】
【００５２】
Ａ…矢印、Ｗ…幅、Ｗ１乃至２…幅、１０…物品側部材、１０ａ…凸部、１０ｂ…先端面、１０ｃ…磁石、２０…設置場所側部材、２０ａ…凹部、２０ｂ…低面、２０ｃ…磁石、２０ｄ…物品支持部、２０ｅ…切りかき部、３０…落下防止具、３０ａ…穴、３０ｂ…ワイヤ、３０ｃ…接続部、３０ｄ…リール、３０ｅ…スパイラルスプリング、４０…スタンド、１００…携帯電話、２００…壁
【図１】
2007252431.tif 000003
【図２】
2007252431.tif 000004
【図３】
2007252431.tif 000005
【図４】
2007252431.tif 000006
【図５】
2007252431.tif 000007